(57)【要約】【課題】電極パッドおよびフレキシブルケーブルの湿気による断線および接触不良を防止することができるタッチセンサモジュールおよびその製造方法を提供する。【解決手段】本発明のタッチセンサモジュールは、電極パターン１２０、および電極パターン１２０の電気的信号を外部に伝達する電極パッド１４０を具備するベース基板１１０と、電極パッド１４０の一面上に接して前記電気的信号を伝達するように形成された接着層２００を具備するフレキシブルケーブル３００と、電極パターン１２０を塗布する塗布層５００と、を含み、接着層２００と塗布層５００が、加圧によりそれぞれ流出する接着液と塗布液が互いに重なるように形成されているものである。【選択図】図１
2015103242.tif 000002
【特許請求の範囲】
【請求項１】
電極パターン、および前記電極パターンの電気的信号を外部に伝達する電極パッドを具備するベース基板と、
前記電極パッドの一面上に接して前記電気的信号を伝達するように形成された接着層を具備するフレキシブルケーブルと、
前記電極パターンを塗布する塗布層と、を含み、
前記接着層と塗布層が、加圧によりそれぞれ流出する接着液と塗布液が互いに重なるように形成されている、タッチセンサモジュール。
【請求項２】
前記塗布液を前記接着液が覆うように形成される、請求項１に記載のタッチセンサモジュール。
【請求項３】
前記接着液を前記塗布液が覆うように形成される、請求項１に記載のタッチセンサモジュール。
【請求項４】
前記塗布液と接着液がそれぞれ１５０μｍ以下流出する、請求項１に記載のタッチセンサモジュール。
【請求項５】
前記塗布液と接着液が重なる距離が１００μｍ以下の範囲を有する、請求項１に記載のタッチセンサモジュール。
【請求項６】
前記塗布層がＯＣＡ（Ｏｐｔｉｃａｌ  Ｃｌｅａｒ  Ａｄｈｅｓｉｖｅ）からなる、請求項１に記載のタッチセンサモジュール。
【請求項７】
前記接着層が、異方性導電フィルム（Ａｎｉｓｏｔｒｏｐｉｃ  Ｃｏｎｄｕｃｔｉｖｅ  Ｆｉｌｍ；ＡＣＦ）または異方性導電接着剤（Ａｎｉｓｏｔｒｏｐｉｃ  Ｃｏｎｄｕｃｔｉｖｅ  Ａｄｈｅｓｉｖｅ；ＡＣＡ）を使用する、請求項１に記載のタッチセンサモジュール。
【請求項８】
前記塗布層と電極パターンとの間にパッシベーション層が形成されている、請求項１に記載のタッチセンサモジュール。
【請求項９】
ａ）ベース基板を準備する段階と、
ｂ）前記ベース基板に形成された電極パターンに塗布層を塗布する段階と、
ｃ）前記塗布層から加圧により電極パッドに向かって塗布液が流出する段階と、
ｄ）前記ベース基板に形成された電極パッドに接着層を結合する段階と、
ｅ）前記接着層の加圧により塗布液に向かって接着液が流出する段階と、を含む、タッチセンサモジュールの製造方法。
【請求項１０】
前記ａ）段階の後に、ａ１）前記電極パターンにパッシベーション層を形成する段階をさらに含む、請求項９に記載のタッチセンサモジュールの製造方法。
【請求項１１】
前記ｅ）段階は、ｅ１）前記接着液が前記塗布液を覆うように形成する段階を含む、請求項９に記載のタッチセンサモジュールの製造方法。
【請求項１２】
前記ｅ）段階において、前記塗布液と接着液が重なる距離が１００μｍ以下の範囲を有する、請求項９に記載のタッチセンサモジュールの製造方法。
【請求項１３】
前記ｂ）段階において、前記塗布層がＯＣＡ（Ｏｐｔｉｃａｌ  Ｃｌｅａｒ  Ａｄｈｅｓｉｖｅ）材質を用いる、請求項９に記載のタッチセンサモジュールの製造方法。
【請求項１４】
前記ｄ）段階において、前記接着層が、異方性導電フィルム（Ａｎｉｓｏｔｒｏｐｉｃ  Ｃｏｎｄｕｃｔｉｖｅ  Ｆｉｌｍ；ＡＣＦ）または異方性導電接着剤（Ａｎｉｓｏｔｒｏｐｉｃ  Ｃｏｎｄｕｃｔｉｖｅ  Ａｄｈｅｓｉｖｅ；ＡＣＡ）を使用する、請求項９に記載のタッチセンサモジュールの製造方法。
【発明の詳細な説明】
【技術分野】
【０００１】
本発明は、タッチセンサモジュールおよびその製造方法に関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を用いてテキストおよびグラフィック処理を行う。
【０００３】
しかし、情報化社会の急速な進行により、コンピュータの用途が益々拡大する傾向にあるため、現在、入力装置の役割を担当しているキーボードおよびマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を超えて、高信頼性、耐久性、革新性、設計および加工に関する技術などが注目されており、このような目的を達成するために、テキスト、グラフィックなどの情報入力が可能な入力装置として、タッチセンサ（ｔｏｕｃｈ  ｓｅｎｓｏｒ）が開発された。
【０００５】
このようなタッチセンサは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置およびＣＲＴ（Ｃａｔｈｏｄｅ  Ｒａｙ  Ｔｕｂｅ）などの画像表示装置の表示面に設けられ、ユーザが画像表示装置を見ながら所望の情報を選択するために利用される機器である。
【０００６】
また、タッチセンサの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）および赤外線方式（Ｉｎｆｒａｒｅｄ  Ｔｙｐｅ）に区分される。
【０００７】
このような様々な方式のタッチセンサは、信号増幅の問題、解像度の差、設計および加工技術の難易度、光学的特性、電気的特性、機械的特性、耐環境特性、入力特性、耐久性および経済性を考慮して電子製品に採用されるが、現在、最も幅広い分野で用いられている方式は、抵抗膜方式タッチセンサおよび静電容量方式タッチセンサである。
【０００８】
従来技術によるタッチセンサの具体的な一例としては、特許文献１に開示されたタッチセンサが挙げられる。
【０００９】
特許文献１の内容のうち、従来技術に関する説明に開示されているタッチセンサの構造は、基板と、基板に形成された電極と、電極から延長して基板の一端に集結した電極配線と、電極配線とフレキシブルプリント回路基板（Ｆｌｅｘｉｂｌｅ  Ｐｒｉｎｔｅｄ  Ｃｉｒｃｕｉｔ  Ｂｏａｒｄ；以下、「フレキシブルケーブル」とする）を介して連結されたコントローラと、を含んでなる。
【００１０】
ここで、フレキシブルケーブルは、電極から発生した信号を電極配線を経て制御部に伝達する機能を果たす。この際、フレキシブルケーブルは、信号を伝達するために電極配線と電気的に接して連結される。しかし、フレキシブルケーブルおよび電極配線において、湿気の浸透により接続不良が頻繁に発生し、頻繁な接続不良によって製品に対する信頼性が低下するという問題点が生じた。
【先行技術文献】
【特許文献】
【００１１】
【特許文献１】韓国公開特許第２０１１−０１０７５９０号公報
【発明の概要】
【発明が解決しようとする課題】
【００１２】
本発明は、上述した従来技術の問題点を解決するためのものであって、電極パターン、パッシベーション層および電極パッド上に塗布層と接着層が互いに重なる重なり領域を形成することで、電極パッドおよびフレキシブルケーブルの湿気による断線および接触不良を防止することができるタッチセンサモジュールおよびその製造方法を提供することを目的とする。
【課題を解決するための手段】
【００１３】
本発明の一実施例によるタッチセンサモジュールは、電極パターン、および前記電極パターンの電気的信号を外部に伝達する電極パッドを具備するベース基板と、前記電極パッドの一面上に接して前記電気的信号を伝達するように形成された接着層を具備するフレキシブルケーブルと、前記電極パターンを塗布する塗布層と、を含み、前記接着層と塗布層が、加圧によりそれぞれ流出する接着液と塗布液が互いに重なるように形成されているタッチセンサモジュールを提供する。
【００１４】
本発明の一実施例によるタッチセンサモジュールにおいて、前記塗布液を前記接着液が覆うように形成される。
【００１５】
本発明の一実施例によるタッチセンサモジュールにおいて、前記接着液を前記塗布液が覆うように形成される。
【００１６】
本発明の一実施例によるタッチセンサモジュールにおいて、前記塗布液と接着液がそれぞれ１５０μｍ以下流出する。
【００１７】
本発明の一実施例によるタッチセンサモジュールにおいて、前記塗布液と接着液が重なる距離が１００μｍ以下の範囲を有する。
【００１８】
本発明の一実施例によるタッチセンサモジュールにおいて、前記塗布層がＯＣＡ（Ｏｐｔｉｃａｌ  Ｃｌｅａｒ  Ａｄｈｅｓｉｖｅ）からなる。
【００１９】
本発明の一実施例によるタッチセンサモジュールにおいて、前記接着層が、異方性導電フィルム（Ａｎｉｓｏｔｒｏｐｉｃ  Ｃｏｎｄｕｃｔｉｖｅ  Ｆｉｌｍ；ＡＣＦ）または異方性導電接着剤（Ａｎｉｓｏｔｒｏｐｉｃ  Ｃｏｎｄｕｃｔｉｖｅ  Ａｄｈｅｓｉｖｅ；ＡＣＡ）を使用する。
【００２０】
本発明の一実施例によるタッチセンサモジュールにおいて、前記塗布層と電極パターンとの間にパッシベーション層が形成されている。
【００２１】
本発明の一実施例によるタッチセンサモジュールの製造方法は、ａ）ベース基板を準備する段階と、ｂ）前記ベース基板に形成された電極パターンに塗布層を塗布する段階と、ｃ）前記塗布層から加圧により電極パッドに向かって塗布液が流出する段階と、ｄ）前記ベース基板に形成された電極パッドに接着層を結合する段階と、ｅ）前記接着層の加圧により塗布液に向かって接着液が流出する段階と、を含むタッチセンサモジュールの製造方法を提供する。
【００２２】
本発明の一実施例によるタッチセンサモジュールの製造方法は、前記ａ）段階の後に、ａ１）前記電極パターンにパッシベーション層を形成する段階をさらに含む。
【００２３】
本発明の一実施例によるタッチセンサモジュールの製造方法は、前記ｅ）段階は、ｅ１）前記接着液が前記塗布液を覆うように形成する段階を含む。
【００２４】
本発明の一実施例によるタッチセンサモジュールの製造方法は、前記ｅ）段階において、前記塗布液と接着液が重なる距離が１００μｍ以下の範囲を有する。
【００２５】
本発明の一実施例によるタッチセンサモジュールの製造方法は、前記ｂ）段階において、前記塗布層がＯＣＡ（Ｏｐｔｉｃａｌ  Ｃｌｅａｒ  Ａｄｈｅｓｉｖｅ）材質を用いる。
【００２６】
本発明の一実施例によるタッチセンサモジュールの製造方法は、前記ｄ）段階において、前記接着層が、異方性導電フィルム（Ａｎｉｓｏｔｒｏｐｉｃ  Ｃｏｎｄｕｃｔｉｖｅ  Ｆｉｌｍ；ＡＣＦ）または異方性導電接着剤（Ａｎｉｓｏｔｒｏｐｉｃ  Ｃｏｎｄｕｃｔｉｖｅ  Ａｄｈｅｓｉｖｅ；ＡＣＡ）を使用する。
【発明の効果】
【００２７】
本発明によれば、電極パターン、パッシベーション層および電極パッド上に塗布層と接着層が互いに重なる重なり領域を形成することで、電極パッドおよびフレキシブルケーブル（ＦＰＣＢ）の断線および接触不良を防止することができる。
【００２８】
また、電極パターン、パッシベーション層および電極パッド上に塗布層と接着層が互いに重なる重なり領域を形成することで、電極パッドおよびフレキシブルケーブル（ＦＰＣＢ）の電気ショートを防止して製品の信頼性を確保することができる。
【００２９】
また、電極パターン、パッシベーション層および電極パッド上に塗布層と接着層が互いに重なる重なり領域を形成することで、電極パッドおよびフレキシブルケーブル（ＦＰＣＢ）への湿気浸透を防止することができる。
【００３０】
また、電極パターン、パッシベーション層および電極パッド上に塗布層と接着層が互いに重なる重なり領域を形成することで、電極パッドおよびフレキシブルケーブル（ＦＰＣＢ）の腐食を防止または遅延することができる。
【００３１】
また、電極パターン、パッシベーション層および電極パッド上に塗布層と接着層が互いに重なる重なり領域を形成することで、タッチセンサの使用中に水分および汗の浸透を防止することができる。
【００３２】
また、電極パターン、パッシベーション層および電極パッド上に塗布層と接着層が互いに重なる重なり領域を形成することで、外部の別の追加材料がなくてもフレキシブルケーブル（ＦＰＣＢ）および電極パッドへの水分浸透を防止することができる。
【００３３】
また、電極パターン、パッシベーション層および電極パッド上に塗布層と接着層が互いに重なる重なり領域を形成することで、別のシール工程を行うことなく工程時間を短縮し、生産収率を増加することができる。
【００３４】
また、電極パターン、パッシベーション層および電極パッド上に塗布層と接着層が互いに重なる重なり領域を形成することで、シール力および接着力を向上することができる。
【図面の簡単な説明】
【００３５】
【図１】本発明の一実施例によるタッチセンサモジュールの断面図である。
【図２】図１に対する要部の拡大図である。
【図３】図２における重なり領域で接着層が塗布層を覆う状態を示す例示図である。
【図４】図１における重なり領域で塗布層が接着層を覆う状態を示す例示図である。
【図５】本発明の第２実施例によるタッチセンサモジュールの断面図である。
【図６】図５に対する電極パターンの平面図である。
【図７】本発明の一実施例によるタッチセンサモジュールの製造方法の例示図である。
【図８】本発明の一実施例によるタッチセンサモジュールの製造方法の例示図である。
【発明を実施するための形態】
【００３６】
本発明の目的、特定の長所および新規の特徴は、添付図面に係る以下の詳細な説明および好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３７】
以下、添付図面を参照して、本発明の好ましい実施例を詳細に説明する。
【００３８】
図１は、本発明の一実施例によるタッチセンサモジュールの断面図であり、図２は、図１に対する要部の拡大図であり、図３は、図２における重なり領域で接着層が塗布層を覆う状態を示す例示図であり、図４は、図１における重なり領域で塗布層が接着層を覆う状態を示す例示図であり、図５は、本発明の第２実施例によるタッチセンサモジュールの断面図であり、図６は、図５に対する電極パターンの平面図であり、図７から図８は、本発明の一実施例によるタッチセンサモジュールの製造方法の例示図である。
【００３９】
本明細書の全体にわたり用いられている「タッチ」という用語は、接触受容面に対する直接の接触を意味するだけでなく、接触受容面に入力手段が相当近接していることも含む広い意味で解釈されるべきである。
【００４０】
本発明の一実施例によるタッチセンサモジュールは、電極パターン、および前記電極パターンの電気的信号を外部に伝達する電極パッドを具備するベース基板と、前記電極パッドの一面上に接して前記電気的信号を伝達するように形成された接着層を具備するフレキシブルケーブルと、前記電極パターンを塗布する塗布層と、を含み、前記接着層と塗布層が、加圧によりそれぞれ流出する接着液と塗布液が互いに重なるように形成されている。
【００４１】
本発明は、タッチセンサモジュールの耐湿性をはじめ耐環境性の特性をより向上させるためのものであって、タッチセンサモジュールの内部への水分などの浸透を最小化するためのものである。これにより、高温多湿の環境でもその作動信頼性を維持することができ、ユーザの便宜を図り、タッチセンサモジュールの適用製品の分野をより多様化することができる。
【００４２】
本発明において、タッチセンサ１００としては、抵抗膜方式または静電容量方式、その他の様々なタッチセンサ１００が適用されてもよく、タッチセンサ１００の形態および種類は特に限定されない。ただし、本発明の一実施例によるタッチセンサモジュールでは、ベース基板１１０の両面に電極パターン１２０、１３０が形成された静電容量方式のタッチセンサ１００を一つの例として説明する。
【００４３】
図１を参照して説明すると、ベース基板１１０は、電極パターン１２０、１３０および電極配線（図示せず）が形成される領域を提供する機能を果たす。ここで、ベース基板１１０は、アクティブ領域とベゼル領域とに分けられ、アクティブ領域は入力手段のタッチを認識するように電極パターン１２０、１３０が形成される部分としてベース基板１１０の中心に設けられ、ベゼル領域は電極パターン１２０、１３０から延長する電極配線（図示せず）が形成される部分としてアクティブ領域の周縁に設けられる。
【００４４】
この際、ベース基板１１０は、電極パターン１２０、１３０および電極配線（図示せず）を支持するための支持力と、画像表示装置（図示せず）で提供する画像をユーザに認識させるための透明性を備えなければならない。
【００４５】
上述の支持力および透明性を考慮すると、ベース基板１１０の材質は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどからなることが好ましいが、必ずしもこれに限定されるものではない。ベース基板１１０の一面には後述する第１電極パターンが形成され、他面には第２電極パターンが形成される。
【００４６】
電極パターン１２０、１３０は、入力手段がタッチする際に信号を発生してコントローラでタッチ座標を認識させる機能を果たすものであり、ベース基板１１０に形成される。本発明の実施例では、ベース基板１１０のＸ軸方向に形成される電極パターンを第１電極パターン１２０とし、ベース基板１１０のＹ軸方向に形成される電極パターンを第２電極パターン１３０とする。
【００４７】
電極パターン１２０、１３０は、メッキ工程またはスパッタ（Ｓｐｕｔｔｅｒ）を用いる蒸着工程で形成することができる。電極パターン１２０、１３０は、銀塩乳剤層を露光／現像して形成された金属を使用してもよく、導電性を有する金属でメッシュパターンを形成できる各種の物質を選択してもよいことは当業者にとって自明である。電極パターン１２０、１３０は、菱形パターン、四角形パターン、三角形パターン、円形パターンなど、当業界に公知のいずれのパターンに形成されてもよい。
【００４８】
電極パターン１２０、１３０は、一方向のバーパターンと直交するバーパターンをベース基板１１０に形成する。電極パターン１２０、１３０は、ベース基板１１０の両面に電極パターン１２０、１３０が形成されてミューチュアル方式（Ｍｕｔｕａｌ  ｔｙｐｅ）のタッチセンサとしてタッチ駆動が可能である。
【００４９】
また、ベース基板１１０の一面上に絶縁素材のブリッジを用いてダイヤモンドなどのパターンを互いに直交するように交差配列することで、一つのベース基板１１０に第１電極パターン１２０を形成してタッチセンサモジュールを具現してもよい（図６を参照）。
【００５０】
電極配線（図示せず）は、上述の電極パターン１２０、１３０とフレキシブルケーブル３００を電気的信号で連結する。電極配線（図示せず）は、シルクスクリーン法、グラビア印刷法またはインクジェット印刷法など、様々な印刷法でベース基板１１０上に形成することができる（図３を参照）。
【００５１】
電極配線（図示せず）の素材としては、銅（Ｃｕ）、アルミニウム（Ａｌ）、金（Ａｕ）、銀（ＡＧ）、チタン（Ｔｉ）、パラジウム（Ｐｄ）、クロム（Ｃｒ）の材質を用いることができる。電極配線（図示せず）には、電気伝導度に優れた銀ペースト（ＡＧ  ｐａｓｔｅ）または有機銀が用いられてもよい。ただし、このような例に限定されず、導電性高分子、カーボンブラック（ＣＮＴを含む）、ＩＴＯのような金属酸化物または金属類など、低抵抗の金属素材からなってもよい。
【００５２】
タッチセンサモジュールの方式にしたがって、第１電極パターン１２０の一端にのみ電極配線（図示せず）が連結される。電極配線（図示せず）の末端部には、フレキシブルケーブル３００と電気的に連結される電極パッド１４０が配置される。換言すれば、電極配線（図示せず）の一部として電極パッド１４０が形成され、フレキシブルケーブル３００が電気的に連結される。
【００５３】
電極パッド１４０は、電極配線（図示せず）に連結されてベース基板１１０に形成される（図１を参照）。電極パッド１４０は、フレキシブルケーブル３００とベース基板１１０のアクティブ領域、すなわち、ユーザのタッチを認識する領域に踏み込まないように形成される。電極パッド１４０は、ベース基板１１０の一側先端部に配置されて電極配線（図示せず）と連結される。電極パッド１４０は、接着層２００と接してフレキシブルケーブル３００に電気を通すように形成される。電極パッド１４０は、フレキシブルケーブル３００が加圧されることで接着層２００と結合される。
【００５４】
この際、電極パッド１４０には、ベース基板１１０の積層方向に接着層２００が結合する。電極パッド１４０には、接着層２００の導電性ボール（図示せず）と接する接触面が形成される。接触面は、導電性ボール（図示せず）の直径より大きく形成される。電極パッド１４０は、ベース基板１１０の一側先端部に多数個が配置されてなる。この際、電極パッド１４０は、隣接した電極パッド同士が電気的干渉を起こさない距離だけ所定距離、離隔して形成される。
【００５５】
本発明によれば、タッチセンサモジュールの耐湿性をはじめ耐環境性の特性をより向上させることができる。電極パターン、パッシベーション層および電極パッド上に塗布層と接着層を重なり合わせて水分浸透を防止することができる。
【００５６】
パッシベーション層４００は、電極パターン１２０、１３０の表面を塗布することで形成される。パッシベーション層４００は、電極パターン１２０、１３０、電極配線（図示せず）および電極パッド１４０に水分が浸透することを防止する。パッシベーション層４００は、二酸化ケイ素（ＳｉＯ２）または窒化ケイ素（ＳｉＮ）からなる絶縁膜またはこれらを含む複合構造になるか、またはポリイミド、エポキシなどの素材からなってもよい。パッシベーション層４００は、ベース基板の電極パターンが形成された一面または両面に形成される。パッシベーション層４００は、電極パターン１２０、１３０の活性面を保護し、且つ水分浸透を防止する。
【００５７】
塗布層５００は、パッシベーション層４００または電極パターン１２０、１３０の表面に形成される。塗布層５００は、パッシベーション層４００と画像表示装置５２０を接着する。すなわち、塗布層５００の一面にはパッシベーション層４００が接着され、他面には画像表示装置５２０が接着される。これは、一例として、塗布層５００がパッシベーション層４００と画像表示装置５２０を接着する。これにより、塗布層５００は、互いに異なる材質および装置を互いに接着する。
【００５８】
塗布層５００の材質は、特に制限されず、光学透明接着剤（Ｏｐｔｉｃａｌ  Ｃｌｅａｒ  Ａｄｈｅｓｉｖｅ、ＯＣＡ）または両面接着テープ（Ｄｏｕｂｌｅ  Ａｄｈｅｓｉｖｅ  Ｔａｐｅ、ＤＡＴ）を用いてもよい。塗布層５００は、パッシベーション層４００への接着のために加圧される。塗布層５００を加圧する際に電極パッド１４０に向かって塗布液の一部が流出して硬化される。
【００５９】
フレキシブルケーブル３００は、電極パッド１４０に対応して結合される。フレキシブルケーブル３００は、接着層２００と、端子部３２０とを含む。フレキシブルケーブル３００は、電極パッド１４０に電気的に連結されて電極パターン１２０、１３０と制御部（図示せず）とを電気的に連結する。端子部３２０は、導電性ボール（図示せず）と接して電気的に連結される。端子部３２０は、多数個の電極パッド１４０と対応する位置に形成される。端子部３２０は、電極パッド１４０に接着層２００を加圧して接着される。
【００６０】
接着層２００の下端面は電極パッド１４０に連結され、接着層２００の上端面は端子部３２０に結合して接着される。すなわち、接着層２００の内部に存在する導電性ボール（図示せず）の一面は電極パッド１４０に接着され、他面は端子部３２０に接着される。これは、接着層２００が電極パッド１４０と端子部３２０に接着される形態を限定するためではない。
【００６１】
接着層２００は、異方性導電フィルム（Ａｎｉｓｏｔｒｏｐｉｃ  Ｃｏｎｄｕｃｔｉｖｅ  Ｆｉｌｍ；ＡＣＦ）からなることが好ましい。場合に応じて、異方性導電接着剤（Ａｎｉｓｏｔｒｏｐｉｃ  Ｃｏｎｄｕｃｔｉｖｅ  Ａｄｈｅｓｉｖｅ；ＡＣＡ）などの導電性素材からなってもよい。
【００６２】
接着層２００は、電極パッド１４０に接触して電気的に連結される。接着層２００は、加圧により電極パッド１４０に結合されるか、加圧により接着される場合、導電性を有する導電性ボール（図示せず）が内部に設けられる。導電性ボール（図示せず）は、電極パッド１４０と端子部３２０が結合過程中に加圧により接合されて、一方向に電気を通す。この際、接着層２００は、加圧により、接着液の一部が電極パターンの方向に流出する。この際、先行する工程の塗布液が硬化し、後行する工程の接着液が塗布液上に積層される（図２を参照）。すなわち、塗布層５００を接着層２００が覆う形態に形成される。
【００６３】
図２及び図３を参照して説明すると、接着層２００と塗布層５００から加圧により接着液と塗布液が流出する領域を変形領域とする。
【００６４】
変形領域の距離をＬ、加圧により塗布液が流出する距離をｃ、加圧により接着液が流出する距離をａ、塗布液および接着液が互いに積層される重なり領域の距離をｂとする。
【００６５】
塗布液と接着液が流出する変形領域は約３００μｍの距離を有するように形成される。これは、塗布層５００と接着層２００がベース基板１１０に加圧により接着される。この際、加圧の際に発生する圧力と硬化熱によって約１５０μｍの距離を有する変形領域が形成される。そのため、加圧により塗布液が流出する距離ｃと加圧により接着液が流出する距離ａは、それぞれ約１５０μｍ程度に形成される（図２を参照）。これにより、重なり領域は、通常、約１００μｍ程度が重なる。
【００６６】
図２及び図３を参照して説明すると、加圧により塗布液が約１５０μｍ流出して硬化される。後段工程の接着層から加圧により接着液が約１５０μｍ流出して塗布液を覆うように形成される。この際、塗布液と接着液が積層されて重なる重なり領域の距離ｂは１００μｍ形成される。塗布液に接着液が覆われるように形成される際、様々な形態で積層される。接着液が塗布液を覆う形態に応じて鈍角／鋭角／直角の形状に形成することができる。これは、接着液の加圧および硬化の際に発生する熱に応じて様々な形態に形成されることができる。接着液は、塗布層の高さより低く形成することが好ましい。
【００６７】
場合に応じて、工程順序を変更して、フレキシブルケーブル３００を電極パッド１４０に接着し、塗布層が形成されてもよい。この際、先行する工程の接着液が硬化され、後行する工程の塗布液が接着液上に積層される。すなわち、接着層を塗布層が覆う形態に形成されてもよい（図４を参照）。
【００６８】
図５および図６を参照して説明すると、本発明に係る第２実施例のタッチセンサモジュールについては、本発明に係る一実施例の同一構成要素であるベース基板１１０、接着層２００、フレキシブルケーブル３００、パッシベーション層４００およびフレキシブルケーブル３００の構造および材質に関する説明は省略し、本発明に係る第２実施例の電極パターン１２０、１３０について詳細に説明する。
【００６９】
ベース基板１１０の一面上に電極パターン１２０、１３０が形成されることで、単層の電極パターン１２０、１３０でタッチセンサが形成される。本発明に係る第１変形例のタッチセンサモジュールは、ベース基板１１０上に、Ｘ軸方向の第１電極パターン１２０と、第１電極パターン１２０に交差するＹ軸方向の第２電極パターン１３０を形成することができる（図６を参照）。
【００７０】
片面に第１電極パターン１２０と第２電極パターン１３０が交差して形成されるために、第１電極パターン１２０と第２電極パターン１３０が交差する部分には、いずれか一つの電極パターン上に絶縁パターンＩが形成され、絶縁パターンＩ上に他の電極パターンが電気的に連結されるようにすることで、交差する第１電極パターン１２０と第２電極パターン１３０が電気的に連結することができる。
【００７１】
交差する第１電極パターン１２０と第２電極パターン１３０の交差角は垂直のものに示されているが、その交差角は特に限定されず、二次元平面での座標を抽出するために、Ｘ軸とＹ軸の座標が出るように好適な角度に交差することが好ましい。電極パターン１２０、１３０の形成方法および材質については、上述の一実施例の電極パターンと同一であるため省略する。
【００７２】
図７および図８を参照して説明すると、本発明の一実施例によるタッチセンサモジュールの製造方法については、本発明に係る一実施例の同一構成要素であるベース基板１１０、接着層２００、フレキシブルケーブル３００、パッシベーション層４００およびフレキシブルケーブル３００の構造および材質に関する説明は省略する。
【００７３】
本発明の一実施例によるタッチセンサモジュールの製造方法は、ａ）ベース基板を準備する段階と、ｂ）前記ベース基板に形成された電極パターンに塗布層を塗布する段階と、ｃ）前記塗布層から加圧により電極パッドに向かって塗布液が流出する段階と、ｄ）前記ベース基板に形成された電極パッドに接着層を結合する段階と、ｅ）前記接着層の加圧により塗布液に向かって接着液が流出する段階と、を含む。
【００７４】
ａ）段階において電極パターンが形成されたベース基板を準備する。電極パターンの表面にパッシベーション層４００を形成する。図７を参照して説明すると、ｂ）段階においてパッシベーション層４００の表面に塗布層５００を形成する。塗布層５００の一面にはパッシベーション層４００を接着し、他面には画像表示装置５２０を接着する。塗布層５００は、光学透明接着剤（Ｏｐｔｉｃａｌ  Ｃｌｅａｒ  Ａｄｈｅｓｉｖｅ、ＯＣＡ）または両面接着テープ（Ｄｏｕｂｌｅ  Ａｄｈｅｓｉｖｅ  Ｔａｐｅ、ＤＡＴ）を用いて、画像表示装置５２０をパッシベーション層４００に接着する。この際、塗布層５００は、パッシベーション層４００に密着して接着されるように加圧する。塗布層５００の塗布液が電極パッドに流出して硬化される（図８を参照）。
【００７５】
図８を参照して説明すると、ｄ）段階は電極パッド１４０にフレキシブルケーブル３００を付着する段階である。電極パッド１４０に接着層２００を接着する。この際、接着層２００が電極パッド１４０に密着して接着されるように加圧する。接着層２００から加圧により接着液が電極パターンに流出する。この際、加圧により、接着層２００の接着液が塗布層５００の塗布液を覆うように形成される。この際、接着層２００は様々な形態で塗布液を積層する。例えば、鈍角、直角、鋭角などに形成されてもよい。
【００７６】
塗布液と接着液は、加圧の際に発生する圧力と硬化熱によって約１５０μｍの距離を有する変形領域が形成される。これにより、加圧により塗布液が流出する距離ｃと加圧により接着液が流出する距離ａは、それぞれ約１５０μｍ程度に形成される。重なり領域は、通常、約１００μｍ程度が重なり硬化される。塗布層５００と接着層２００が重なり水分浸透を防止する。
【００７７】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００７８】
本発明の単純な変形乃至変更はいずれも本発明の領域に属するものであり、本発明の具体的な保護範囲は添付の特許請求の範囲により明確になるであろう。
【産業上の利用可能性】
【００７９】
本発明は、タッチセンサモジュールおよびその製造方法に適用可能である。
【符号の説明】
【００８０】
１００  タッチセンサ
１１０  ベース基板
１２０  第１電極パターン（電極パターン）
１３０  第２電極パターン（電極パターン）
１４０  電極パッド
２００  接着層
３００  フレキシブルケーブル
３２０  第１端子部（端子部）
４００  パッシベーション層
５００  塗布層
５２０  画像表示装置
【図１】
2015103242.tif 000003
【図２】
2015103242.tif 000004
【図３】
2015103242.tif 000005
【図４】
2015103242.tif 000006
【図５】
2015103242.tif 000007
【図６】
2015103242.tif 000008
【図７】
2015103242.tif 000009
【図８】
2015103242.tif 000010